(57)【要約】【課題】  ホストコンピュータから複数種類の広告を配信して、その複数種類の広告を生体情報測定装置の表示器に順次表示する広告システムにおいて、売上げ実績に応じた効率の良い広告を可能とする。【解決手段】  広告システムのホストコンピュータを、販売時点情報管理システムの管理サーバと接続可能とし、所定の表示割合更新時期となったら（ＳＢ１）、広告対象の商品の売り上げ数量Ｓに関する情報を管理サーバから取得し（ＳＢ２）、その取得した売上数量Ｓと、ホストコンピュータのハードディスクに記憶されている売り上げ目標値Ｔから目標達成率ＲＴを決定し（ＳＢ３）、さらにその目標達成率ＲＴから不足率ＲＳを算出する（ＳＢ４）。そして、式１［表示割合ＲＤ＝（各広告の不足率ＲＳ／不足率ＲＳの合計）×１００］から、不足率ＲＳの高い（目標達成率ＲＴの低い）商品に関連する広告ほど表示割合ＲＤが高くなるように表示割合ＲＤを更新する。【選択図】                        図８
2006258978.tif 000002
【特許請求の範囲】
【請求項１】
表示器に商品またはサービスに関連する複数種類の広告を順次表示する生体情報測定装置と、該生体情報測定装置に電気通信回線を介して接続され、該生体情報測定装置へ前記複数種類の広告を配信するホストコンピュータとを備えた広告システムであって、
前記商品またはサービスの売り上げ実績値に基づいて、前記表示器に表示される複数種類の広告の表示割合を決定する表示割合決定手段を含むことを特徴とする広告システム。
【請求項２】
請求項１に記載の広告システムであって、
前記複数種類の広告の対象の商品またはサービスの売り上げ基準値をそれぞれ記憶する基準値記憶装置を備え、
前記表示割合決定手段は、商品またはサービスの売り上げ実績値を記憶する売上管理装置に記憶されている前記広告の対象の商品またはサービスの売り上げ実績値と、前記基準値記憶装置に記憶されている前記広告の対象の商品又はサービスの売り上げ基準値との比較に基づいて、前記複数種類の広告の表示割合を決定するものであることを特徴とする広告システム。
【請求項３】
請求項２に記載の広告システムであって、
前記表示割合決定手段は、前記売上管理装置に記憶されている前記広告の対象の商品またはサービスの売り上げ実績値と、前記基準値記憶装置に記憶されている該商品またはサービスの売り上げ基準値との比較に基づいて、前記広告の対象の商品またはサービスの売り上げ達成率をそれぞれ決定し、該売り上げ達成率の高いものほど広告の表示割合を高くすることを特徴とする広告システム。
【請求項４】
請求項２に記載の広告システムであって、
前記表示割合決定手段は、前記売上管理装置に記憶されている前記広告の対象の商品またはサービスの売り上げ実績値と、前記基準値記憶装置に記憶されている該商品またはサービスの売り上げ基準値との比較に基づいて、前記広告の対象の商品またはサービスの売り上げ達成率をそれぞれ決定し、該売り上げ達成率の低いものほど広告の表示割合を高くすることを特徴とする広告システム。
【請求項５】
表示器を備え、生体情報の測定中に該表示器に商品またはサービスに関連する広告を表示する生体情報測定装置と、該生体情報測定装置に電気通信回線を介して接続され、該生体情報測定装置に前記広告を配信するホストコンピュータとを備えた広告システムであって、
複数種類の広告を記憶した広告記憶装置と、
被測定者の個人情報を記憶する個人情報記憶装置と、
前記生体情報測定装置によって生体情報が測定される被測定者の個人情報に基づいて、前記広告記憶装置に記憶された複数種類の広告から、前記表示器に表示する広告を決定する表示広告決定手段と
を含むことを特徴とする広告システム。
【請求項６】
前記生体情報測定装置は、生体の上腕を圧迫するために、所定時間、該上腕を拘束するカフを備えた自動血圧測定装置であることを特徴とする請求項１乃至５のいずれかに記載の広告システム。
【発明の詳細な説明】
【技術分野】
【０００１】
本発明は、生体情報測定装置に広告を配信して表示させる広告システムに関する。
【背景技術】
【０００２】
自動血圧測定装置による血圧測定中に表示器に広告を表示させるようにした自動血圧測定装置が知られている（たとえば、特許文献１）。自動血圧測定装置は、病院の待合室や、官公庁の施設、会社・学校に設けられている運動施設、薬局などに設置され、多数の人に利用される。また、自動血圧測定装置による血圧測定中は腕が拘束状態となり、被測定者は何もすることができないことから、表示器に目が行き易い。そのため、自動血圧測定装置の表示器に広告を表示すると、高い広告効果が期待できる。
【０００３】
特許文献１には、自動血圧測定装置が通信ネットワークを介してホストコンピュータに接続され、広告がそのホストコンピュータから配信される態様が記載されている。そのホストコンピュータには複数種類の広告が記憶され、その複数種類の広告から、依頼主が設定しホストコンピュータに記憶された設置場所に関する広告条件に合致する広告が選択されて、各自動血圧測定装置に配信される。
【特許文献１】特開２００２−１０２１８３号公報
【発明の開示】
【発明が解決しようとする課題】
【０００４】
特許文献１では、自動血圧測定装置の設置場所に基づいて表示される広告が選択されるようになっているが、その広告はホストコンピュータの広告データベースが変更されない限り同一の広告とされている。しかし、広告依頼主としては、複数種類の広告を順次表示することを望む場合もある。複数種類の広告を順次表示する場合には、単に、複数種類の広告を依頼時に定めた順序で表示するのでは、広告が十分に効果的であるとはいえない。また、同じ場所を訪れる人であっても、人によって必要とする商品やサービスは異なるので、設置場所に基づいて表示される広告が選択されても、広告が十分に効果的であるとはいえない。
【０００５】
なお、自動血圧測定装置以外にも、多数の人が訪れるところに設置される生体情報測定装置であれば、その生体情報測定装置の表示器に複数種類の広告を表示させることが考えられるが、自動血圧測定装置以外の生体情報測定装置の場合にも、上記課題があることに変わりはない。
【０００６】
本発明は以上の事情を背景として為されたもので、その目的とするところは、ホストコンピュータから配信される広告が生体情報測定装置の表示器に表示される広告システムにおいて、高い広告効果が得られるようにすることにある。
【課題を解決するための手段】
【０００７】
前記目的を達成するための請求項１に係る発明（第１発明）は、表示器に商品またはサービスに関連する複数種類の広告を順次表示する生体情報測定装置と、その生体情報測定装置に電気通信回線を介して接続され、その生体情報測定装置へ前記複数種類の広告を配信するホストコンピュータとを備えた広告システムであって、前記商品またはサービスの売り上げ実績値に基づいて、前記表示器に表示される複数種類の広告の表示割合を決定する表示割合決定手段を含むことを特徴とする。
【発明の効果】
【０００８】
この請求項１に係る発明によれば、表示割合決定手段により、商品またはサービスの売り上げ実績値に基づいて複数種類の広告の表示割合が決定されるので、売り上げ実績のよい商品またはサービスの広告の表示割合を高めたり、逆に、売り上げ実績のよくない商品またはサービスの広告の表示割合を高めるなど、商品またはサービスの売り上げ実績に応じた効率の良い広告が可能となる。
【０００９】
商品またはサービスの売り上げ実績に応じて複数種類の広告の表示割合を決定するためには、前記広告システムは、たとえば、以下の態様とすることができる。すなわち、請求項２に係る発明の広告システムは、前記複数種類の広告の対象の商品またはサービスの売り上げ基準値をそれぞれ記憶する基準値記憶装置を備え、前記表示割合決定手段は、商品またはサービスの売り上げ実績値を記憶する売上管理装置に記憶されている前記広告の対象の商品またはサービスの売り上げ実績値と、前記基準値記憶装置に記憶されている前記広告の対象の商品又はサービスの売り上げ基準値との比較に基づいて、前記複数種類の広告の表示割合を決定する。
【００１０】
また、請求項３に係る発明では、前記請求項２に係る発明の表示割合決定手段は、前記売上管理装置に記憶されている前記広告の対象の商品またはサービスの売り上げ実績値と、前記基準値記憶装置に記憶されているその商品またはサービスの売り上げ基準値との比較に基づいて、前記広告の対象の商品またはサービスの売り上げ達成率をそれぞれ決定し、その売り上げ達成率の高いものほど広告の表示割合を高くする。これによれば、売り上げ実績のよい商品またはサービスの広告の表示割合が高められる。
【００１１】
また、請求項４に係る発明では、前記請求項２に係る発明の表示割合決定手段は、前記売上管理装置に記憶されている前記広告の対象の商品またはサービスの売り上げ実績値と、前記基準値記憶装置に記憶されているその商品またはサービスの売り上げ基準値との比較に基づいて、前記広告の対象の商品またはサービスの売り上げ達成率をそれぞれ決定し、その売り上げ達成率の低いものほど広告の表示割合を高くする。これによれば、売り上げ実績のよくない商品またはサービスの広告の表示割合が高められる。
【００１２】
前記目的を達成するための請求項５に係る発明（第２発明）は、表示器を備え、生体情報の測定中にその表示器に商品またはサービスに関連する広告を表示する生体情報測定装置と、その生体情報測定装置に電気通信回線を介して接続され、その生体情報測定装置に前記広告を配信するホストコンピュータとを備えた広告システムであって、複数種類の広告を記憶した広告記憶装置と、被測定者の個人情報を記憶する個人情報記憶装置と、前記生体情報測定装置によって生体情報が測定される被測定者の個人情報に基づいて、前記広告記憶装置に記憶された複数種類の広告から、前記表示器に表示する広告を決定する表示広告決定手段とを含むことを特徴とする。
【００１３】
この発明によれば、被測定者毎の個人情報に基づいて、広告記憶装置に記憶されている複数種類の広告から、生体情報測定装置の表示器に表示される広告が決定されるので、高い広告効果が得られる。
【００１４】
また、請求項６に係る発明では、前記請求項１乃至５のいずれかに係る発明の生体情報測定装置は、たとえば、生体の上腕を圧迫するために、所定時間、その上腕を拘束するカフを備えた自動血圧測定装置である。しかし、生体情報測定装置はその自動血圧測定装置には限定されず、どのような生体情報を測定する装置であってもよい。
【発明を実施するための最良の形態】
【００１５】
以下、上記発明の実施の形態を図面に基づいて詳細に説明する。図１は第１発明の一実施例の広告システム１０の全体構成を示すブロック図である。
【００１６】
図１の広告システム１０は、複数（図では４台）の自動血圧測定装置１２ａ、１２ｂ、１２ｃ、１２ｄと、ホストコンピュータ１４と、複数（図では３台）の広告依頼主端末１６ａ、１６ｂ、１６ｃとを有しており、それらが通信ネットワーク１８により相互に接続可能とされている。また、ホストコンピュータ１４は、その通信ネットワーク１８により、販売時点情報管理システム（point of sales system 以下、ＰＯＳシステムという）２０の管理サーバ２２とも相互に接続可能とされている。
【００１７】
自動血圧測定装置１２は、生体情報測定装置として機能するものであり、医院・病院の待合室、スポーツセンタ、薬局、市役所、保健所などに設置される。この自動血圧測定装置１２は、たとえば図２に示す外観構成であり、内部に備えられているマイクロコンピュータの制御により、予め定められた測定手順に従って被測定者の血圧を自動的に測定する。
【００１８】
図２において、自動血圧測定装置１２は、箱体３０に被測定者の腕３２を差し通すための貫通穴３４が設けられており、その貫通穴３４内には、カフ３６を内周面に備えて円筒状に保持された比較的剛性の高い可撓性の外ベルト３８が配設されている。箱体３０の操作パネル４０には、起動スイッチ４２、停止スイッチ４４、プリンタ４６などが配設されている。さらに、箱体３０には、操作パネル４０の一辺と連続する位置に被測定者と略対向するように表示器４８が配設され、その表示器４８には測定された血圧値ＢＰ、時刻、脈拍数等および広告が表示される。なお、上記表示器４８は、好ましくは、文字、図形、記号などを表示することが可能な比較的大型のドットマトリックス型カラー液晶表示板やＰＤＰ表示板（プラズマディスプレイ）から構成されるが、文字のみが表示される形式であっても、文字および画像が表示される形式の何れの形式でもよい。また、自動血圧測定装置１２は、図示しない記憶装置および送受信装置を備えている。
【００１９】
上記自動血圧測定装置１２は、貫通穴３４内に腕３２が差し通された状態で起動スイッチ４２が押されると、自動的に血圧が測定される。すなわち、起動スイッチ４２が押されると、腕３２にカフ３６が巻き付けられ、そのカフ３６の圧迫圧力が予め設定された目標圧力値（たとえば１８０ｍｍＨｇ程度）まで急速昇圧された後、予め設定された徐速降圧速度（たとえば３ｍｍＨｇ／ｓｅｃ）で徐速降圧させられ、その徐速降圧期間内に得られる圧力信号に基づいてよく知られたオシロメトリックアルゴリズムにより血圧値が決定される。そして、決定された血圧値は表示器４８に表示されるとともに、プリンタ４６から出力される。
【００２０】
図１に戻って、ＰＯＳシステム２０は売上管理装置として機能するものであり、前記管理サーバ２２の他に、各店舗に設置される一台または複数台（図１では２台）の端末装置５０と、各店舗に設置される店舗内コンピュータ５２とを備えている。端末装置５０は、商品の販売時に使用され、商品に付されているバーコード（すなわち商品情報符号）を読み取り、その商品が販売されたことを示す情報を店舗内コンピュータ５２に送信する。店舗内コンピュータ５２は、端末装置５０とオンラインで接続されているとともに、管理サーバ２２ともオンラインで接続されており、販売された商品の種類・数量・販売店・売り上げ金額などの情報を含む商品情報を、逐次、管理サーバ２２に送信する。管理サーバ２２では、各店舗内コンピュータ５２から送信された商品情報に基づいて、各商品の売り上げ実績値、すなわち売り上げ数量Ｓや売り上げ金額などを、店舗別および販売地域別に管理する。
【００２１】
広告依頼主端末１６は、後述する広告データ、および売り上げ基準値である売り上げ目標値Ｔが入力される図示しない入力装置を備え、入力された広告データをホストコンピュータ１４に送信する。
【００２２】
通信ネットワーク（すなわち電気通信回線）１８は、ＩＳＤＮ回線等の公衆電話回線、光ファイバー等の有線または無線ＬＡＮ（ローカルエリアネットワーク）、衛星通信回線、ＣＡＴＶ回線等の通信回線から構成される情報通信網である。
【００２３】
図３は、ホストコンピュータ１４の構成を説明する図である。ホストコンピュータ１４は、比較的高速高容量の電子計算機であり、ハードディスク５４、入力装置５６、ＣＰＵ５８、ＲＡＭ６０、表示器６２および通信装置６４などを備えている。
【００２４】
ハードディスク５４は広告記憶装置および基準値記憶装置として機能し、所定の記憶領域に広告データベース６６、売り上げ目標値データベース６８および装置情報データベース７０が記憶されている。
【００２５】
広告データベース６６は、広告依頼主端末１６から送信された広告データが記憶されたデータベースであり、各広告データは、図４にその一例を示すように、広告データ番号、広告依頼主、一つまたは複数種類の広告、複数種類の広告の場合はその表示割合ＲＤ、および広告配信先条件を情報として含むデータである。なお、本実施例では、広告は全て商品に関連する広告であり、表示割合ＲＤは表示回数の割合である。また、広告配信先条件は、特定の場所に設置された自動血圧測定装置１２にのみ広告を配信するための設置場所に関する条件であり、この広告配信先条件は広告データ間で重複しないように調整されて入力されている。
【００２６】
売り上げ目標値データベース６８は、広告データベース６６に記憶されている各広告ａ、ｂ、ｃ…の売り上げ目標値Ｔ（ａ）、Ｔ（ｂ）、Ｔ（ｃ）…を記憶したデータベースである。各広告の売り上げ目標値Ｔは、売上数量の目標値であっても売上金額の目標値であってもよいが、本実施例では、売上数量の目標値とする。装置情報データベース７０は、図５にその一例を示すように、自動血圧測定装置１２の装置識別コード、設置場所等の装置情報が記憶されたデータベースである。
【００２７】
上記ＣＰＵ５８は、図６に示す広告配信手段、および図８に示す表示割合決定手段を備えている。図６は、その広告配信手段、すなわち、ホストコンピュータ１４が各自動血圧測定装置１２へ広告を配信する際にＣＰＵ５８が実行する広告配信ルーチンの要部を説明するフローチャートである。
【００２８】
まず、ステップＳＡ１（以下、ステップを省略する。）では、広告データベース６６が更新されたか否かを判断する。この判断が否定された場合には本ルーチンを終了するが、広告依頼主端末１６から広告データが送信されて広告データベース６６が更新されている場合には、続いてＳＡ２を実行する。
【００２９】
ＳＡ２では、更新された広告データベース６６の各広告データに含まれている広告配信先条件と、予め装置情報データベース７０に各自動血圧測定装置１２毎に記憶されている装置情報とに基づいて、広告データベース６６の各広告データと自動血圧測定装置１２との対応関係を、たとえば図７に示すように決定する。
【００３０】
続くＳＡ３では、上記ＳＡ２で決定した対応関係に基づいて定まる広告データに含まれる広告および表示割合ＲＤを各自動血圧測定装置１２に配信する。このようにして広告が配信されると、広告依頼主が広告を表示させたい場所に設置された自動血圧測定装置１２にのみその広告が配信され、そこで記憶される。
【００３１】
次に、図８に示す表示割合決定ルーチンを説明する。まず、ＳＢ１では、予めホストコンピュータ１４のハードディスク５４に記憶された表示割合更新時期であるか否かを判断する。この表示割合更新時期は、前回、表示割合ＲＤが自動血圧測定装置１２へ送信されてからの経過期間であり、たとえば、数日、１週間、１ヶ月などに予め設定されている。なお、この表示割合更新時期は、広告データ毎に設定されていてもよいし、全ての広告データに対して一律に設定されていてもよい。
【００３２】
このＳＢ１の判断が否定された場合には本ルーチンは終了するが、肯定された場合には、続くＳＢ２において、ＰＯＳシステム２０の管理サーバ２２にアクセスし、管理サーバ２２から、前回の表示割合更新時期から今回の表示割合更新時期までの期間における広告の対象とされている商品の売り上げ数量Ｓに関する情報を取得する。
【００３３】
そして、続くＳＢ３では、上記ＳＢ２で取得した売り上げ数量Ｓ、および、予めハードディスク５４に記憶されている売り上げ目標値Ｔに基づいて、広告された商品毎に、売り上げ達成率として目標達成率ＲＴを算出する。この目標達成率ＲＴを、広告データ１に含まれる広告ａ、ｂ、ｃを例に説明する。広告ａ、ｂ、ｃの対象とされている商品の売り上げ数量Ｓを、それぞれＳ（ａ）、Ｓ（ｂ）、Ｓ（ｃ）とすると、広告ａ、ｂ、ｃの対象とされている商品の目標達成率ＲＴ（ａ）、ＲＴ（ｂ）、ＲＴ（ｃ）は、それぞれ（Ｓ（ａ）／Ｔ（ａ））×１００、（Ｓ（ｂ）／Ｔ（ｂ））×１００、（Ｓ（ｃ）／Ｔ（ｃ））×１００である。
【００３４】
続くＳＢ４では、上記ＳＢ３で決定した目標達成率ＲＴから、不足率ＲＳ（％）を算出する。この不足率ＲＳは、１００％から目標達成率ＲＴを引いた値であるが、目標達成率ＲＴが１００％以上である場合には不足率ＲＳは０％とされる。そして、続くＳＢ５では、ＳＢ４で決定した不足率ＲＳに基づいて広告データベース６６の各広告データ毎に、その広告データに含まれる複数種類の広告の表示割合ＲＤを更新する。本実施例では、上記目標達成率ＲＴの低い（すなわち不足率ＲＳの高い）商品に関連する広告ほど表示割合ＲＤを高くするために、各広告の表示割合ＲＤ（％）を式（１）から算出する。
【００３５】
表示割合ＲＤ＝（各広告の不足率ＲＳ／不足率ＲＳの合計）×１００  ・・・（１）
【００３６】
上記表示割合ＲＤを、広告データ１に含まれる広告ａ、ｂ、ｃを例に、具体的数値により説明する。たとえば、広告ａ、ｂ、ｃの目標達成率ＲＴをそれぞれ８０％、１２０％、５０％とすると、不足率ＲＳ（ａ）、ＲＳ（ｂ）、ＲＳ（ｃ）はそれぞれ２０％、０％、５０％となり、不足率ＲＳの合計は７０となるので、ＲＤ（ａ）は（２０／７０）×１００＝２８、ＲＤ（ｂ）は（０／７０）×１００＝０％、ＲＤ（ｃ）は（５０／７０）×１００＝７１％となる。ただし、本実施例では、１の位を四捨五入して最終的な表示割合ＲＤを決定するようになっており、最終的な各表示割合ＲＤ（ａ）、ＲＤ（ｂ）、ＲＤ（ｃ）は、それぞれ３０％、０％、７０％となる。
【００３７】
ＳＢ５において表示割合ＲＤを更新すると、続くＳＢ６では、更新した表示割合ＲＤを各自動血圧測定装置１２に配信する。
【００３８】
図９は、自動血圧測定装置１２内の図示しないマイクロコンピュータが実行す広告表示ルーチンの要部を示すフローチャートである。図９において、まず、ＳＣ１では、ホストコンピュータ１４から広告および表示割合ＲＤ（または表示割合ＲＤのみ）が配信されてきたか否かを判断する。すなわち、ホストコンピュータ１４から送信された広告および表示割合ＲＤ（または表示割合ＲＤのみ）が、図示しない送受信装置により受信されたか否かを判断する。このＳＣ１の判断が否定された場合には、後述するＳＣ３以下を直接的に実行するが、ＳＣ１が肯定された場合には、続くＳＣ２において、その配信された広告および表示割合ＲＤ（または表示割合ＲＤのみ）を図示しない記憶装置に記憶する。
【００３９】
続くＳＣ３では、起動スイッチ４２が操作されたか否かを判断する。このＳＣ３の判断が否定された場合には本ルーチンを終了するが、肯定された場合には、続くＳＣ４において、次に表示する広告およびその順序を決定する。すなわち、ＳＣ４では、表示すべき広告が一種類である場合には、その広告を連続的に表示するように決定し、表示すべき広告が複数種類である場合には、記憶装置に記憶されている表示割合ＲＤおよび前回最後に表示した広告に基づいて、次に表示する広告およびその表示順序を決定する。表示すべき広告が複数種類ある場合、記憶装置に記憶されている表示割合ＲＤに従う限りは、どのような順序で複数種類の広告を表示するようになっていてもよいが、本実施例では、同一の広告を連続して表示した後、他の広告を連続して表示するようにされている。
【００４０】
ここで、上記ＳＣ４を、広告データ１を例に具体的数値により説明する。たとえば、広告データ１の表示割合ＲＤが広告ａ：ｂ：ｃ＝３０：０：７０とされているとすると、広告の表示順序は、広告ａを３回表示した後、広告ｃを７回表示するという順序になる。従って、前回最後に表示された広告が広告ｃの４回目であるとすると、ＳＣ４では、広告ｃの５回目から順に、上記表示順序で広告を表示すると決定する。
【００４１】
そして、続くＳＣ５では、カフ３６の圧迫圧力の変化期間中、上記ＳＣ４で決定した内容に従って、広告を表示器４８に表示する。なお、広告が表示されるのは、血圧測定の開始から終了までの期間の全部であっても、その一部であってもよい。
【００４２】
上述のように、本実施例によれば、図８に示す表示割合決定手段ＳＢ１乃至ＳＢ６により、商品の実際の売り上げ数量Ｓと売り上げ目標値Ｔとの比較に基づいて、売り上げ実績のよくない商品に関連する広告ほど表示割合ＲＤが高くなるように決定されるので、効率の良い広告となる。
【００４３】
次に、第１発明の第２実施例を説明する。なお、以下の説明において前述の実施例と同様の構成を有する部分には、同一の符号を付して説明を省略する。
【００４４】
第２実施例が第１実施例と異なる点は、第１実施例では図８の表示割合決定ルーチンにおいて、目標達成率ＲＴの低い商品に関連する広告ほど表示割合ＲＤを高くしていたのに対し、第２実施例では、目標達成率ＲＴの高い商品に関連する広告ほど表示割合ＲＤを高くするようになっている点のみである。
【００４５】
すなわち、第２実施例が第１実施例と異なるのは、図１０に示す表示割合決定ルーチンのみである。図１０に示す表示割合決定ルーチンでは、前述した図８に示す表示割合決定ルーチンと異なり、ＳＢ４が設けられず、ＳＢ３に続くＳＢ５−１において、ＳＢ３で決定した目標達成率ＲＴから、直接、表示割合ＲＤを決定する。
【００４６】
すなわち、ＳＢ５−１では、目標達成率ＲＴの高い商品に関連する広告ほど表示割合ＲＤを高くするために、広告データベース６６の各広告データ毎に、その広告データに含まれる複数種類の広告の表示割合ＲＤ（％）を式（２）から算出する。
【００４７】
表示割合ＲＤ＝（各広告の目標達成率ＲＴ／目標達成率ＲＴの合計）×１００  ・・・（２）
【００４８】
上記表示割合ＲＤを、広告データ１に含まれる広告ａ、ｂ、ｃを例に、具体的数値により説明する。たとえば、広告ａ、ｂ、ｃの目標達成率ＲＴをそれぞれ８０％、１２０％、５０％とすると、目標達成率ＲＴの合計は２５０となるので、ＲＤ（ａ）は（８０／２５０）×１００＝３２、ＲＤ（ｂ）は（１２０／２５０）×１００＝４８％、ＲＤ（ｃ）は（５０／２５０）×１００＝２０％となる。ただし、本実施例では、１の位を四捨五入して最終的な表示割合ＲＤを決定するようになっており、最終的な各表示割合ＲＤ（ａ）、ＲＤ（ｂ）、ＲＤ（ｃ）は、それぞれ３０％、５０％、２０％となる。
【００４９】
ＳＢ５−１において表示割合ＲＤを更新すると、続くＳＢ６では、第１実施例と同様に、更新した表示割合ＲＤを各自動血圧測定装置１２に配信する。
【００５０】
上述の第２実施例によれば、図１０に示す表示割合決定手段ＳＢ１乃至ＳＢ６により、商品の実際の売り上げ数量Ｓと売り上げ目標値Ｔとの比較に基づいて、売り上げ実績のよい商品に関連する広告ほど表示割合ＲＤが高くなるように決定されるので、効率の良い広告となる。
【００５１】
次に、第２発明の実施例を説明する。図１１は、本実施例の広告システム８０の全体構成を示すブロック図である。この広告システム８０は、ホストコンピュータ１４が前述のＰＯＳシステム２０の管理サーバ２２に接続可能となっておらず、本広告システム８０はＰＯＳシステム２０を利用しない点が前述の実施例と異なる。また、この広告システム８０の自動血圧測定装置（すなわち生体情報測定装置）８２は、前述の自動血圧測定装置１２と同様に通信ネットワーク１８に接続可能とされているが、この自動血圧測定装置８２には、前述の実施例の自動血圧測定装置１２には備えられていない個人情報の読み取り機能が備えられている。また、前述の実施例では、自動血圧測定装置１２の設置場所は、ホストコンピュータ１４のハードディスク５４に記憶されていたが、本実施例では、この自動血圧測定装置８２の図示しない内部の記憶装置に、その設置場所に関する情報すなわち設置場所情報が記憶されている。
【００５２】
図１２は、上記自動血圧測定装置８２の外観構成を示す斜視図である。この自動血圧測定装置８２には、前面に、カード挿入口８４が設けられており、そのカード挿入口８４に個人情報記憶装置である磁気カード８６が挿入されことにより、その磁気カード８６は自動血圧測定装置８２に着脱可能に保持される。
【００５３】
上記磁気カード８６は、個人毎に所有するものであり、個人情報として、その者の年齢、性別、自動血圧測定装置８２による過去の測定値が記憶されている。
【００５４】
図１３は、本実施例におけるホストコンピュータ１４の構成を説明する図である。図１３に示すように、ホストコンピュータ１４の装置構成は前述の実施例と同様である。ただし、本実施例では、ハードディスク５４は広告記憶装置として機能し、ハードディスク５４には、図１４に示す広告データベース８８が記憶されている。
【００５５】
広告データベース８８は、広告依頼主端末１６から送信された広告データが記憶されたデータベースであり、各広告データは、図１４にその一例を示すように、広告データ番号、表示する広告、広告配信先条件、１つまたは複数種類の個人情報条件を情報として含むデータである。上記個人情報条件は、磁気カード８６に記憶されている個人情報の各項目に関する条件であり、性別の条件、年齢の条件、および前回の血圧値に関する条件の３つの条件から一つまたは複数の条件が設定されている。なお、図１４に示す例では、最高血圧値が160mmHg以上であるとの条件が設定されているが、最高血圧値が160mmHg以上であると一般に高血圧であると診断されるので、この条件は、高血圧を条件としていること意味する。
【００５６】
図１５は、自動血圧測定装置８２内の図示しないマイクロコンピュータが実行する広告表示ルーチンの要部を示すフローチャートである。図１５において、まず、ＳＤ１では、カード挿入口８４に磁気カード８６が挿入されたか否かを判断する。このＳＤ１の判断が否定された場合には、このＳＤ１の判断を繰り返すが、肯定された場合には、続くＳＤ２において、カード挿入口８４に挿入された磁気カード８６から個人情報を読み込む。
【００５７】
そして、続くＳＤ３では、ＳＤ２で読み込んだ個人情報および自動血圧測定装置８２に予め記憶されている設置場所情報を、ホストコンピュータ１４に送信する。
【００５８】
個人情報および設置場所情報をホストコンピュータ１４に送信すると、ホストコンピュータ１４は、後述する図１６に示す表示広告決定ルーチンを実行して、広告データベース８８に記憶されている広告から送信する広告を決定し、決定した広告を個人情報および設置場所情報を送信した自動血圧測定装置８２に送信するようになっているので、ＳＤ４では、ホストコンピュータ１４からの広告を受信したか否かを判断する。
【００５９】
このＳＤ４の判断が否定されるうちは、ＳＤ４の判断を繰り返し実行するが、肯定された場合には、続くＳＤ５において、受信した広告を図示しない内部の記憶装置に記憶する。
【００６０】
そして、続くＳＤ６では、起動スイッチ４２が操作されたか否かを判断する。このＳＤ６の判断が否定された場合には、ＳＤ６の判断を繰り返し実行するが、肯定された場合には、続くＳＤ７において、カフ３６の圧迫圧力の変化期間中、前記ＳＤ５で記憶した広告を表示器４８に表示する。なお、広告が表示されるのは、血圧測定の開始から終了までの期間の全部であっても、その一部であってもよい。
【００６１】
本実施例では、ホストコンピュータ１４のＣＰＵ５８は、図１６に示す表示広告決定手段、すなわち、表示広告決定ルーチンを備えている。図１６において、まず、ＳＥ１では、個人情報および設置場所情報を受信したか否かを判断する。この判断が否定された場合には、本ルーチンを一旦終了するが、図１５のＳＤ３が実行されて自動血圧測定装置８２から個人情報および設置場所情報が送信された場合には、ＳＥ１が肯定されるので、次いでＳＥ２を実行する。
【００６２】
ＳＥ２では、上記ＳＥ１で受信した個人情報および設置場所情報と、ハードディスク５４に記憶されている広告データベース８８の個人情報条件および広告配信先条件から、配信する広告を決定する。たとえば、上記ＳＥ１で受信した設置場所情報が病院であり、且つ、そのＳＥ１で受信した個人情報の性別に関する項目が女性である場合には、図１４に示す広告データベース８８から、広告データ番号が１の広告ａを、配信する広告に決定する。そして、続くＳＥ３では、ＳＥ２で決定した広告を、個人情報および設置場所情報を送信した自動血圧測定装置８２に送信する。なお、この例において、ＳＥ１で受信した個人情報の年齢に関する項目が４０歳以上である場合など、複数種類の広告が条件に合致する場合もあるが、その場合には、条件に合致するすべての広告を配信するようになっていてもよいし、各広告データ間で優先順位が予め定められ、優先順位の最も高い広告を配信するようになっていてもよい。
【００６３】
上述の実施例によれば、被測定者毎の個人情報に基づいて、ホストコンピュータ１４のハードディスク５４の広告データベース８８に記憶されている複数種類の広告から、自動血圧測定装置８２の表示器４８に表示される広告が決定されるので、高い広告効果が得られる。
【００６４】
以上、本発明の一実施形態を図面に基づいて詳細に説明したが、本発明はその他の態様においても適用される。
【００６５】
たとえば、第１発明の実施例では、広告は血圧測定中に表示されるようになっていたが、第１発明の場合には、血圧測定が実行されていない期間（すなわち待機時）に広告が表示されるようになっていてもよい。
【００６６】
また、第１発明の実施例では、ＰＯＳシステム２０が売上管理装置として機能しており、商品に付されたバーコードが端末装置５０により読み取られることにより、販売された商品の種類・数量・販売店・販売金額などの情報を含む商品情報が自動的に管理サーバ２２に入力されていたが、商品（またはサービス）の売り上げ実績値に関する情報は、人が入力するようになっていてもよい。要するに、売上管理装置は、情報の入力形態を問わず、商品の売り上げ実績が記憶されていればよい。
【００６７】
また、第１発明の実施例では、売り上げ基準値として売り上げ目標値が用いられていたが、基準値は目標値である必要はなく、たとえば、標準的な売上数量（または売上金額）や、最低限の売上数量（または売上金額）であってもよい。
【００６８】
また、第１発明の実施例では、ホストコンピュータ１４のハードディスク５４が基準値記憶装置として機能し、ホストコンピュータ１４のＣＰＵ５８が表示割合決定手段としての機能を有していたが、基準値記憶装置や表示割合決定手段が、自動血圧測定装置１２に備えられていてもよい。
【００６９】
また、第２発明の実施例では、ハードディスク５４に記憶された複数種類の広告から、個人情報に基づいて自動血圧測定装置８２の表示器４８に表示する広告を決定していたが、予め広告配信先条件に基づいて自動血圧測定装置８２に複数種類の広告が配信されて、それら複数種類の広告が自動血圧測定装置８２の記憶装置に記憶され、その記憶装置に記憶された複数種類の広告から個人情報に基づいて自動血圧測定装置８２の表示器４８に表示する広告を決定してもよい。この場合には、自動血圧測定装置８２の記憶装置が広告記憶装置として機能し、自動血圧測定装置８２内に表示広告決定手段が備えられる。
【００７０】
また、第２発明の実施例では、個人情報記憶装置として磁気カードが用いられていたが、ＩＣカードなど携帯可能な他の記憶媒体が個人情報記憶装置として用いられてもよい。また、ホストコンピュータ１４のハードディスク５４が個人情報記憶装置として機能してもよい。この場合には、ハードディスク５４に複数の者の個人情報が記憶されており、測定に際しては、パスワード等によりハードディスク５４から血圧測定者の個人情報が特定されて利用される。
【００７１】
また、前述の自動血圧測定装置１２、８２では、表示器４８は箱体３０に他の部分と一体的に設けられていたが、表示器４８のみが離隔して設けられてもよい。
【００７２】
また、前述の実施例では、広告は、一旦、自動血圧測定装置１２、８２内の記憶装置に記憶され、表示器４８に表示される広告は、その記憶装置に記憶されたものであったが、広告表示中は自動血圧測定装置１２、８２とホストコンピュータ１４とがオンラインとされ、ホストコンピュータ１４から配信される広告が、即時、表示器４８に表示されるようになっていてもよい。
【００７３】
なお、本発明はその主旨を逸脱しない範囲においてその他種々の変更が加えられ得るものである。
【図面の簡単な説明】
【００７４】
【図１】第１発明の第１実施例の広告システムの全体構成を示すブロック図である。
【図２】図１の自動血圧測定装置の外観構成を示す図である。
【図３】図１のホストコンピュータの構成を説明する図である。
【図４】図３のハードディスクに記憶された広告データベースの一例を示す図である。
【図５】図３のハードディスクに記憶された装置情報データベースの一例を示す図である。
【図６】図１のホストコンピュータが各自動血圧測定装置へ広告を配信する際にＣＰＵが実行する広告配信ルーチンの要部を説明するフローチャートである。
【図７】図６の広告配信ルーチンにおいて決定される対応関係の一例を示す図である。
【図８】図３のＣＰＵの表示割合決定手段を示すフローチャートである。
【図９】図１の自動血圧測定装置において実行される広告表示ルーチンの要部を示すフローチャートである。
【図１０】第１発明の第２実施例におけるホストコンピュータのＣＰＵの表示割合決定手段を示すフローチャートである。
【図１１】第２発明の実施例の広告システムの全体構成を示すブロック図である。
【図１２】図１１の自動血圧測定装置の外観構成を示す斜視図である。
【図１３】図１１のホストコンピュータの構成を説明する図である。
【図１４】図１３のハードディスクに記憶された広告データベースの一例を示す図である。
【図１５】図１１の自動血圧測定装置内の図示しないマイクロコンピュータが実行する広告表示ルーチンの要部を示すフローチャートである。
【図１６】図１３のＣＰＵの表示広告決定手段を示すフローチャートである。
【符号の説明】
【００７５】
１０：広告システム
１２：自動血圧測定装置（生体情報測定装置）
１４：ホストコンピュータ
１８：通信ネットワーク（電気通信回線）
２０：販売時点情報管理システム（売上管理装置）
４８：表示器
５４：ハードディスク（基準値記憶装置、広告記憶装置）
８０：広告システム
８２：自動血圧測定装置（生体情報測定装置）
８６：磁気カード（個人情報記憶装置）
ＳＢ１〜ＳＢ６：表示割合決定手段
ＳＥ１〜ＳＥ３：表示広告決定手段
【図１】
2006258978.tif 000003
【図２】
2006258978.tif 000004
【図３】
2006258978.tif 000005
【図４】
2006258978.tif 000006
【図５】
2006258978.tif 000007
【図６】
2006258978.tif 000008
【図７】
2006258978.tif 000009
【図８】
2006258978.tif 000010
【図９】
2006258978.tif 000011
【図１０】
2006258978.tif 000012
【図１１】
2006258978.tif 000013
【図１２】
2006258978.tif 000014
【図１３】
2006258978.tif 000015
【図１４】
2006258978.tif 000016
【図１５】
2006258978.tif 000017
【図１６】
2006258978.tif 000018